【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
印刷フォームに合わせて各項目データを配置印刷して発行され、前記印刷フォーム内の任意の項目に対応してその項目を処理対象として指示すると共にその処理種を指示する指示情報を含む２次元コード付きの印刷物からそのイメージデータを読み取る読取手段と、
この読取手段によって読み取られたイメージデータ内に含まれている２次元コードを解析する解析手段と、
この解析手段によって得られた２次元コードの解析結果から処理対象の指示項目とその処理種を特定して当該項目データを処理する処理手段と、
を具備するデータ処理装置。
【請求項２】
前記２次元コードに含まれる前記指示情報は、項目毎にその印刷データが改竄されたか否かをチェックする改竄チェックを指示する処理種を含むと共に、指示項目に印刷される項目データを改竄チェック時の比較基準用の基準データを含み、
前記解析手段は、２次元コード付きの印刷物から読み取ったイメージデータ内の２次元コードを解析することによって改竄チェック対象の指示項目を特定すると共に基準データを認識し、このイメージデータ内の特定指示項目の内容を解析することによって当該指示項目に印刷されている項目データを認識し、
前記処理手段は、この基準データの認識結果と指示項目データの認識結果とを比較し、この比較結果に基づいて当該指示項目のデータが改竄されたか否かをチェックする、
ようにしたことを特徴とする請求項１記載のデータ処理装置。
【請求項３】
前記２次元コードに含まれる前記指示情報は、発行後の印刷物に任意に記入された項目データを保存するか否かを指示する処理種を含み、
前記解析手段は、２次元コード付きの印刷物から読み取ったイメージデータ内の２次元コードを解析することによって保存対象としての指示項目を特定し、
前記処理手段は、当該項目内に記入されているデータを記憶保存する、
ようにしたことを特徴とする請求項１記載のデータ処理装置。
【請求項４】
コンピュータを、
印刷フォームに合わせて各項目データを配置印刷して発行され、前記印刷フォーム内の任意の項目に対応してその項目を処理対象として指示すると共にその処理種を指示する指示情報を含む２次元コード付きの印刷物からそのイメージデータを読み取る読取手段、
この読取手段によって読み取られたイメージデータ内に含まれている２次元コードを解析する解析手段、
この解析手段によって得られた２次元コードの解析結果から処理対象の指示項目とその処理種を特定して当該項目データを処理する処理手段、
として機能させるためのプログラム。
【手続補正２】
【補正対象書類名】明細書
【補正対象項目名】発明の名称
【補正方法】変更
【補正の内容】
【発明の名称】データ処理装置及びプログラム
【手続補正３】
【補正対象書類名】明細書
【補正対象項目名】０００１
【補正方法】変更
【補正の内容】
【０００１】
この発明は、データ処理装置及びプログラムに関する。
【手続補正４】
【補正対象書類名】明細書
【補正対象項目名】０００５
【補正方法】変更
【補正の内容】
【０００５】
請求項１記載の発明は、印刷フォームに合わせて各項目データを配置印刷して発行され、前記印刷フォーム内の任意の項目に対応してその項目を処理対象として指示すると共にその処理種を指示する指示情報を含む２次元コード付きの印刷物からそのイメージデータを読み取る読取手段と、この読取手段によって読み取られたイメージデータ内に含まれている２次元コードを解析する解析手段と、この解析手段によって得られた２次元コードの解析結果から処理対象の指示項目とその処理種を特定して当該項目データを処理する処理手段と、を具備する。
更に、コンピュータを、上述した請求項１記載の発明に示した主要手段として機能させるためのプログラムを提供する（請求項４記載の発明）。
【手続補正５】
【補正対象書類名】明細書
【補正対象項目名】０００６
【補正方法】変更
【補正の内容】
【０００６】
なお、上述した請求項１記載の発明は、次のようなものであってもよい。
前記２次元コードに含まれる前記指示情報は、項目毎にその印刷データが改竄されたか否かをチェックする改竄チェックを指示する処理種を含むと共に、指示項目に印刷される項目データを改竄チェック時の比較基準用の基準データを含み、前記解析手段は、２次元コード付きの印刷物から読み取ったイメージデータ内の２次元コードを解析することによって改竄チェック対象の指示項目を特定すると共に基準データを認識し、このイメージデータ内の特定指示項目の内容を解析することによって当該指示項目に印刷されている項目データを認識し、前記処理手段は、この基準データの認識結果と指示項目データの認識結果とを比較し、この比較結果に基づいて当該指示項目のデータが改竄されたか否かをチェックする（請求項２記載の発明）。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
前記２次元コードに含まれる前記指示情報は、発行後の印刷物に任意に記入された項目データを保存するか否かを指示する処理種を含み、前記解析手段は、２次元コード付きの印刷物から読み取ったイメージデータ内の２次元コードを解析することによって保存対象としての指示項目を特定し、前記処理手段は、当該項目内に記入されているデータを記憶保存する（請求項３記載の発明）。
【手続補正８】
【補正対象書類名】明細書
【補正対象項目名】０００９
【補正方法】変更
【補正の内容】
【０００９】
請求項１記載の発明によれば、印刷フォームに合わせて各項目データを配置印刷して発行され、印刷フォーム内の任意の項目に対応してその項目を処理対象として指示すると共にその処理種を指示する指示情報を含む２次元コード付きの印刷物からそのイメージデータを読み取って２次元コードを解析し、この解析結果から処理対象の指示項目とその処理種を特定して当該項目データを処理するようにしたから、２次元コードにインストラクションを表現することができ、印刷フォームが変更されたとしても処理プログラムを変更することなく、２次元コード内の指示情報を変更するだけでよく、印刷物から読み取ったイメージから様々な処理を実行することができ、汎用性の高いものとなるほか、例えば、入場券、割引券、回数券、サービス券などを１台のデータ処理装置によって処理することが利用可能となり、実用効果の高いものとなる。
【手続補正９】
【補正対象書類名】明細書
【補正対象項目名】００１０
【補正方法】変更
【補正の内容】
【００１０】
請求項２記載の発明によれば、２次元コードに含まれる指示情報は、項目毎にその印刷データが改竄されたか否かをチェックする改竄チェックを指示する処理種を含むと共に、指示項目に印刷される項目データを改竄チェック時の比較基準用のデータとして含み、２次元コード付きの印刷物から読み取ったイメージデータ内の２次元コードを解析することによって改竄チェック対象の指示項目を特定すると共に基準データを認識し、このイメージデータ内の特定指示項目の内容を解析することによって当該指示項目に印刷されている項目データを認識し、この基準データの認識結果と指示項目データの認識結果とを比較し、この比較結果に基づいて当該指示項目のデータが改竄されたか否かをチェックするようにしたから、任意の項目に印刷されている項目データが改竄されているかのチェックを行うことができ、入場券、伝票などの真偽判定に利用可能となる。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】変更
【補正の内容】
【００１２】
請求項３記載の発明によれば、２次元コードに含まれる指示情報は、発行後の印刷物に任意に記入された項目データを保存するか否かを指示する処理種を含み、２次元コード付きの印刷物から読み取ったイメージデータ内の２次元コードを解析することによって保存対象としての指示項目を特定して当該項目内に記入されているデータを記憶保存するようにしたから、任意の項目に記入されている項目データを保存することができ、コンサートチケットなどの顧客記入欄、アンケート用紙などから情報を自動収集することが可能となり、各種の情報を確実かつ効率的に収集することができる。